(57)【要約】      （修正有）【課題】高級フルーツのギフトボックスとすることができ、盛り付け、持ち上げ及び取り出しに便利なギフトボックス構造を提供する。【解決手段】ギフトボックス構造であって、筒状胴部と、箱蓋と、少なくとも１本の手提げ紐とを含む。筒状胴部の開口部を遮蔽するため、箱蓋と筒状胴部が相互にマッチする。筒状胴部には第１側壁と第１底板とを含む。第１側壁は環状で、且つ、少なくとも一対の貫通孔を備える。第１底板の辺縁が第１側壁の下縁に繋がると共に第１側壁の第１端部を封止して開口部が上向きの収納空間を構成する。少なくとも１本の手提げ紐が少なくとも一対の貫通孔に各々対応する。各手提げ紐の両端は第１側壁の外側から対応する一対の貫通孔を各々穿通し、且つ第１側壁の内側で制限される。【選択図】図１Ａ
0003173561.tif 000002
【実用新案登録請求の範囲】
【請求項１】
ギフトボックス構造であって、
環状で、少なくとも一対の貫通孔を備える第１側壁と、その辺縁が前記第１側壁の下縁に連結され、前記第１側壁の第１端部を封止して開口部が上向きの収納空間を構成する第１底板とを、含む筒状胴部と、
前記開口部を遮蔽するための箱蓋と、
前記少なくとも一対の貫通孔に各々対応し、その両端が前記第１側壁の外側から対応する前記一対の貫通孔に各々穿通し、且つ、前記第１側壁の内側で制限される少なくとも一手提げ紐とを、含むことを特徴とするギフトボックス構造。
【請求項２】
前記手提げ紐の両端は、幅が対応する前記貫通孔を上回る結び目を備えることを特徴とする請求項１に記載のギフトボックス構造。
【請求項３】
各前記手提げ紐の両端に設置され、前記手提げ紐の両端を前記第１側壁の内側で制限される複数の係止材を更に含むことを特徴とする請求項１に記載のギフトボックス構造。
【請求項４】
前記箱蓋の内径が前記第１側壁の外径を上回り、或いは、等しくなることで、前記第１側壁の第２端部に嵌合して前記開口部を遮蔽することを特徴とする請求項１に記載のギフトボックス構造。
【請求項５】
前記箱蓋の深さは、前記少なくとも一対の貫通孔と前記第１側壁の上縁との最短距離を下回る、或いは、等しくなることを特徴とする請求項１に記載のギフトボックス構造。
【請求項６】
前記少なくとも一対の貫通孔は、対向設置される第１の貫通孔対と第２の貫通孔対を備え、前記少なくとも１本の手提げ紐が第１手提げ紐と第２手提げ紐を有し、且つ、前記第１手提げ紐と前記第２手提げ紐は前記第１の貫通孔対と前記第２の貫通孔対に各々対応することを特徴とする請求項１に記載のギフトボックス構造。
【請求項７】
前記第１手提げ紐の両端が相互に接合し、且つ、前記第２手提げ紐の両端が相互に接合することを特徴とする請求項６に記載のギフトボックス構造。
【請求項８】
前記箱蓋には、
環状で、前記第１側壁の第２端部に嵌合するための第２側壁と、
その辺縁が前記第２側壁の下縁に連結され、前記第２側壁の第１端部を封止することで前記第２側壁と前記第１側壁を嵌合する時に前記開口部を遮蔽する第２底板とを、含むことを特徴とする請求項１に記載のギフトボックス構造。
【請求項９】
前記第２側壁の上縁と前記第２底板との最短距離は、前記少なくとも一対の貫通孔と前記第１側壁の上縁との最短距離を下回る、或いは、等しくなることを特徴とする請求項５に記載のギフトボックス構造。
【請求項１０】
前記第２側壁が単層板体とすることを特徴とする請求項５に記載のギフトボックス構造。
【請求項１１】
前記第２底板が単層板体とすることを特徴とする請求項５に記載のギフトボックス構造。
【請求項１２】
前記第１側壁が単層板体とすることを特徴とする請求項１に記載のギフトボックス構造。
【請求項１３】
前記第１底板が単層板体とすることを特徴とする請求項１に記載のギフトボックス構造。
【請求項１４】
前記少なくとも一対の貫通孔が前記第１側壁の第２端部に位置することを特徴とする請求項１に記載のギフトボックス構造。
【請求項１５】
前記収納空間内に位置する緩衝材を更に含むことを特徴とする請求項１に記載のギフトボックス構造。
【請求項１６】
前記緩衝材の中央に開口部を有することを特徴とする請求項１５に記載のギフトボックス構造。
【請求項１７】
前記収納空間内に位置する緩衝蓋体を更に含み、前記緩衝蓋体の中央に開口部を有し、前記緩衝蓋体が第１環形の折れ線を備え、前記緩衝蓋体の辺縁と前記開口部の間に位置し、前記緩衝蓋体の辺縁は少なくとも一対の切欠きを有し、各々前記少なくとも一対の貫通孔に対応して設置され、前記切欠きの下縁が前記第１環形の折れ線と前記開口部の間に位置することを特徴とする請求項１に記載のギフトボックス構造。
【請求項１８】
前記緩衝蓋体には複数本の切り込み線を更に備え、各前記切り込み線が前記第１環形の折れ線から前記緩衝蓋体の辺縁まで繋がることを特徴とする請求項１７に記載のギフトボックス構造。
【請求項１９】
前記緩衝蓋体には、前記第１環形の折れ線と前記開口部の間に位置する第２環形の折れ線を更に備え、前記第１環形の折れ線と前記第２環形の折れ線が異なる谷折れ方向とし、且つ、各前記切欠きの下縁が前記第１環形の折れ線と前記第２環形の折れ線の間に位置することを特徴とする請求項１７に記載のギフトボックス構造。
【請求項２０】
前記緩衝蓋体には複数本の切り込み線を更に備え、各前記切り込み線が前記開口部から前記第２環形の折れ線まで延伸することを特徴とする請求項１９に記載のギフトボックス構造。
【考案の詳細な説明】
【技術分野】
【０００１】
本考案は、ギフトボックス構造に関り、特に、フルーツギフトボックス構造に関する。
【背景技術】
【０００２】
現在物品をラッピングするギフトボックス構造に関し、その大半に紙箱が用いられている。紙箱の大部分は板紙の貼り合わせ或いは折り畳みからなり、使用時まずビニール紐で物品をラッピングする紙箱を縛ってから手提げ袋内に入れてから持ち上げるため、使用において、手間がかかり、且つこの種の紙箱の構造強度は不足し、重力または衝突を受けて容易に変形してしまう。
【０００３】
次に、内容物を展示或いは消費者に見せる際、まずラッピングを取り外す、若しくはラッピングされていないままで見せるため、コストが無駄になり、ラッピングの美しい外観も損なってしまう。
【考案の概要】
【考案が解決しようとする課題】
【０００４】
１つの実施例において、ギフトボックス構造には筒状胴部と、箱蓋と少なくとも１本の手提げ紐とを含む。
【０００５】
筒状胴部の開口部を遮蔽するため、箱蓋と筒状胴部が相互にマッチする。
【０００６】
筒状胴部には、第１側壁と第１底板とを含む。第１側壁は環状で、且つ少なくとも一対の貫通孔を備える。第１底板の辺縁が第１側壁の下縁に連結し、第１側壁の第１端部が封止され上向きの開口部となる収納空間が構成される。
【０００７】
少なくとも１本の手提げ紐が、少なくとも一対の貫通孔に各々対応する。各手提げ紐の両端は、第１側壁の外側から対応する一対の貫通孔を各々穿通し、且つ第１側壁の内側で制限される。
【０００８】
若干の実施例において、手提げ紐の両端に幅が対応する貫通孔を上回る結び目を備えることで、手提げ紐の両端を第１側壁の内側で制限される。
【０００９】
若干の実施例において、ギフトボックス構造は、複数の係止材を更に含む。こられ係止材は各手提げ紐の両端に設けられることで、手提げ紐の両端を第１側壁の内側で制限される。
【００１０】
若干の実施例において、箱蓋の内径は第１側壁の外径を上回る或いは等しく、第１側壁の第２端部に嵌合することで筒状胴部の開口部を遮蔽する。
【００１１】
若干の実施例において、箱蓋の深さは少なくとも一対の貫通孔と第１側壁の上縁の最短距離を上回る或いは等しくなる。
【００１２】
若干の実施例において、少なくとも一対の貫通孔は対向設置され第１の貫通孔対と第２の貫通孔対を備え、少なくとも１本の手提げ紐が第１手提げ紐と第２手提げ紐を有する。第１手提げ紐は第１の貫通孔対に対応し、且つ第２手提げ紐が第２の貫通孔対に対応する。
【００１３】
若干の実施例において、第１手提げ紐の両端は相互に接合し、且つ第２手提げ紐の両端も相互に接合する。
【００１４】
若干の実施例において、箱蓋は第２側壁と第２底板とを含む。
【００１５】
第２側壁は環状とする。第２底板の辺縁が第２側壁の下縁に連結し、且つ第２底板が第２側壁の第１端部を封止する。
【００１６】
第２側壁と第１側壁が嵌合した時、第２底板が筒状胴部の開口部を遮蔽する。
【００１７】
若干の実施例において、第２側壁の上縁と第２底板との最短距離がこれら貫通孔と第１側壁の上縁との最短距離を下回る或いは等しくなる。
【００１８】
若干の実施例において、第１側壁は単層板体である。
【００１９】
若干の実施例において、第１底板は単層板体である。
【００２０】
若干の実施例において、第２側壁は単層板体である。
【００２１】
若干の実施例において、第２底板は単層板体である。
【００２２】
若干の実施例において、これら貫通孔は第１側壁の第２端部に位置する。
【００２３】
若干の実施例において、ギフトボックス構造は緩衝材を更に含む。緩衝材は収納空間内に位置する。
【００２４】
若干の実施例において、緩衝材の中央に開口部を備える。
【００２５】
若干の実施例において、ギフトボックス構造は緩衝蓋体を更に含む。緩衝蓋体が収納空間内に位置する。緩衝蓋体の中央に開口部を備える。緩衝蓋体は第１環形の折れ線を有し、且つ第１環形の折れ線は緩衝蓋体の辺縁と開口部の間に位置する。緩衝蓋体の辺縁は少なくとも一対の切欠きを備え、各々少なくとも一対の貫通孔に対応するように設置される。これら切欠きの下縁は第１環形の折れ線と開口部の間に位置する。
【００２６】
若干の実施例において、緩衝蓋体は更に複数本の切り込み線を備える。各切り込み線は第１環形の折れ線が緩衝蓋体の辺縁までつながる。
【００２７】
若干の実施例において、緩衝蓋体は第２環形の折れ線を更に備える。第２環形の折れ線は第１環形の折れ線と開口部の間に位置する。第１環形の折れ線と第２環形の折れ線は、異なる谷折り方向となり、且つ各切欠きの下縁が第１環形の折れ線と第２環形の折れ線の間に位置する。
【００２８】
若干の実施例において、緩衝蓋体は複数本の切り込み線を更に備える。各切り込み線は開口部から第２環形の折れ線まで延伸する。
【課題を解決するための手段】
【００２９】
本考案のギフトボックス構造は、筒状胴部と、箱蓋と、少なくとも１本の手提げ紐とを含む。筒状胴部の開口部を遮蔽するため、箱蓋と筒状胴部が相互にマッチする。筒状胴部には第１側壁と第１底板とを含む。第１側壁は環状で、且つ少なくとも一対の貫通孔を備える。第１底板の辺縁が第１側壁の下縁に繋がると共に第１側壁の第１端部を封止して開口部が上向きの収納空間を構成する。少なくとも１本の手提げ紐が少なくとも一対の貫通孔に各々対応する。各手提げ紐の両端は第１側壁の外側から対応する一対の貫通孔を各々穿通し、且つ第１側壁の内側で制限される。
【考案の効果】
【００３０】
上記をまとめ、本考案に基づいてギフトボックス構造を応用すると、高級フルーツギフトボックスとすることができ、盛り付け、持ち上げ及び取り出しに便利な設計を有し、簡単で、スッキリ且つ高級感のあるラッピング構造を提供することで、内容物の品質に相応しくできる。
【図面の簡単な説明】
【００３１】
【図１Ａ】本考案の一実施例のギフトボックス構造を示す図である。
【図１Ｂ】本考案の一実施例のギフトボックス構造を示す図である。
【図２】本考案の一実施例の筒状胴部上面図である。
【図３】本考案の一実施例の手提げ紐を示す図である。
【図４】本考案の別の実施例の手提げ紐を示す図である。
【図５】本考案の別の実施例の手提げ紐を示す図である。
【図６Ａ】本考案に基づく別の実施例のギフトボックス構造を示す図である。
【図６Ｂ】本考案の別の実施例の筒状胴部上面図である。
【図７】本考案の一実施例のギフトボックス構造使用を示す図である。
【図８】本考案の一実施例の緩衝材を示す図である。
【図９】本考案の一実施例の緩衝蓋体を示す図である。
【図１０】本考案の一実施例の緩衝蓋体断面図である。
【考案を実施するための形態】
【００３２】
図１Ａ及び図１Ｂは、本考案に基づく一実施例のギフトボックス構造を示す図である。図２は本考案の一実施例の筒状胴部上面図である。
【００３３】
図１Ａ、図１Ｂ及び図２を参照しながら説明する。ギフトボックス構造１００は、筒状胴部１２０と、箱蓋１４０と、少なくとも１本の手提げ紐１６０とを含む。説明の便宜を図るため、２本の手提げ紐１６０を使用したものを例とし、以下に各々第１手提げ紐１６２と第２手提げ紐１６４という。
【００３４】
筒状胴部１２０と箱蓋１４０が相互にマッチする。言い換えると、筒状胴部１２０は開口部が上向きの収納空間１３０を形成する容器である。
【００３５】
筒状胴部１２０の開口部を遮蔽するため、箱蓋１４０の寸法は筒状胴部１２０の開口部の大きさに対応しなければならない。
【００３６】
ギフトボックス構造１００を持ち上げるため、筒状胴部１２０に第１手提げ紐１６２と第２手提げ紐１６４が設けられる。
【００３７】
この場合、筒状胴部１２０は第１底板１２２と第１側壁１２４とを含む。
【００３８】
第１側壁１２４は環状で、且つ第１側壁１２４の下縁（つまり、第１側壁１２４の第１端部）が銜接第１底板１２２の辺縁に連結する。言い換えると、第１底板１２２で環状の第１側壁１２４の第１端部を封止することで開口部が上向きの収納空間１３０を構成する。
【００３９】
且つ、第１側壁１２４には少なくとも一対の貫通孔（図示内の１２６と１２７）を備える。この場合、貫通孔の対数が手提げ紐１６０の数量に対応する。言い換えると、各手提げ紐１６０は一対の貫通孔に対応し、且つ各手提げ紐１６０の両端が各々第１側壁１２４の外側から対応する一対の貫通孔に穿通すると共に第１側壁１２４の内側で制限される。
【００４０】
この実施例において、２本の手提げ紐１６０に対して、第１側壁１２４に二対の貫通孔を備え、記載の便宜を図るため、以下に各々第１の貫通孔対１２６と第２の貫通孔対１２７という。
【００４１】
第１手提げ紐１６２は第１の貫通孔対１２６に対応し、第２手提げ紐１６４が第２の貫通孔対１２７に対応する。第１手提げ紐１６２の両端が各々第１側壁１２４の外側から対応する第１の貫通孔対１２６の貫通孔１２６ａ、１２６ｂに穿通し、且つ第１側壁１２４の内側で制限される。第２手提げ紐１６４の両端が各々第１側壁１２４の外側から対応する第２の貫通孔１２７対の貫通孔１２７ａ、１２７ｂに穿通し、且つ第１側壁１２４の内側で制限される。
【００４２】
若干の実施例において、第１の貫通孔対１２６と第２の貫通孔対１２７は対向設置される。
【００４３】
若干の実施例において、貫通孔１２６ａが貫通孔１２７ｂに対向設置され、貫通孔１２６ｂが貫通孔１２７ａに対向設置される。
【００４４】
若干の実施例において、貫通孔１２６ａ、筒状胴部１２０の中心軸ｏと貫通孔１２７ｂが同一直線上にある。貫通孔１２６ｂ、筒状胴部１２０の中心軸ｏと貫通孔１２７ａが同一直線上にある。
【００４５】
若干の実施例において、第１手提げ紐１６２の両端に幅が対応する貫通孔１２６ａ、１２６ｂを上回る結び目１６３を備えるため、第１手提げ紐１６２の両端が第１側壁１２４の内側で制限させることができる。同様に、第２手提げ紐１６４の両端に幅が対応する貫通孔１２７ａ、１２７ｂを上回る結び目１６５を備えるため、第２手提げ紐１６４の両端が第１側壁１２４の内側で制限させることができる。
【００４６】
図３を参照しながら説明する。若干の実施例において、第１手提げ紐１６２の両端は第１側壁１２４の内側の中に接合できる。且つ、第２手提げ紐１６４の両端も第１側壁１２４の内側の中に接合できる。これにより、第１側壁１２４の外側にある第１手提げ紐１６２と第２手提げ紐１６４が持ち上げた時、第１手提げ紐１６２と第２手提げ紐１６４の両端が対応する貫通孔から第１側壁１２４の外側に脱落することがない。
【００４７】
図４を参照しながら説明する。若干の実施例において、手提げ紐１６０の両端に各々係止材１６６が設置される。係止材１６６には嵌通部１６６ａと固定片１６６ｂとを含む。嵌通部１６６ａは対応する手提げ紐１６０の一端を被覆し、且つ被覆する手提げ紐１６０の末端に対向する他側から固定片１６６ｂを延出する。言い換えると、固定片１６６ｂの一端が嵌通部１６６ａ上に固定され、固定片１６６ｂの他端が自由端である。また、固定片１６６ｂの自由端が固定端に対向して設置される手提げ紐１６０の末端から遠く離れる。
【００４８】
よって、第１側壁１２４の外側にある手提げ紐１６０が持ち上げた時、手提げ紐１６０が対応する貫通孔を通じて第１側壁１２４の外側に向かって引き出され、最後に固定片１６６ｂを介して第１側壁１２４の内側で対応する貫通孔に掛止する。
【００４９】
若干の実施例において、第１の貫通孔対１２６と第２の貫通孔対１２７は第１側壁１２４の第２端部に設置できる。言い換えると、第１の貫通孔対１２６と第２の貫通孔対１２７は第１側壁１２４の第２端部と第１側壁１２４の両端の中間点の間に位置する。
【００５０】
図５を参照しながら説明する。当然、若干の実施例において、ギフトボックス構造１００も１本の手提げ紐１６０を用いることができる。この場合、第１側壁１２４に一対の貫通孔１２５を備える。手提げ紐１６０の両端は各々第１側壁１２４の外側から対応する一対の貫通孔１２５の貫通孔１２５ａ、１２５ｂに穿通し、且つ第１側壁１２４の内側で制限される。
【００５１】
若干の実施例において、手提げ紐１６０は麻紐、綿紐或いは布紐とすることができる。
【００５２】
若干の実施例において、貫通孔１２５ａ、１２５ｂは対向設置されることで、手提げ紐１６０を利用して相対で安定的にギフトボックス構造１００を持ち上げることができる。この場合、貫通孔１２５ａ、筒状胴部１２０の中心軸ｏと貫通孔１２５ｂは同一直線上にあることができる。
【００５３】
図１Ｂを参照しながら説明する。若干の実施例において、第１側壁１２４の第２端部に嵌合することで開口部を遮蔽するため、箱蓋１４０の内径ｄ１は第１側壁１２４の外径ｄ２を上回る或いは等しくなる。
【００５４】
若干の実施例において、箱蓋１４０の深さｈ１は各貫通孔と第１側壁１２４の上縁（つまり、第１側壁１２４の第２端部）との最短距離ｈ２を下回る或いは等しくなる。
【００５５】
図１Ａ及び図１Ｂを参照しながら説明する。若干の実施例において、箱蓋１４０は第２底板１４２と第２側壁１４４とを含むことができる。
【００５６】
第２側壁１４４は環状で、且つ第２側壁１４４の下縁（つまり、第２側壁１４４の第１端部）が第２底板１４２の辺縁に連結する。言い換えると、第２底板１４２で環状の第２側壁１４４の第２端部を封止する。
【００５７】
第２側壁１４４が第１側壁１２４の第２端部に嵌合された時、第２底板１４２で筒状胴部１２０の開口部を遮蔽できる。
【００５８】
若干の実施例において、第２側壁１４４の高さは第１側壁１２４の高さに比べ略低い。
【００５９】
若干の実施例において、第２側壁１４４の上縁（つまり、第２側壁１４４の第２端部）と第２底板１４２との最短距離（つまり、深さｈ１）は、各貫通孔と第１側壁１２４の上縁（つまり、第１側壁１２４の第２端部）との最短距離ｈ２を下回る或いは等しくなる。
【００６０】
若干の実施例において、各貫通孔１２５ａ／１２５ｂ／１２６ａ／１２６ｂ／１２７ａ／１２７ｂは、第１側壁１２４の第２端部に位置する。言い換えると、各貫通孔１２５ａ／１２５ｂ／１２６ａ／１２６ｂ／１２７ａ／１２７ｂは第１側壁１２４の第２端部と第１側壁１２４の両端の中間点の間に位置することで、手提げ紐１６０を利用して相対で安定的にギフトボックス構造１００を持ち上げることができる。
【００６１】
若干の実施例において、第１底板１２２は任意の形状とすることができる。好ましくは、第１底板１２２は頂角を持たない形状とすることができ、例えば円形（図１Ａ、図１Ｂ及び図２乃至図５に図示）と楕円形（図６Ａ及び図６Ｂに図示）等である。
【００６２】
図１Ａ及び図１Ｂを参照しながら説明する。円形の第１底板１２２を例にし、筒状胴部１２０は開口部を備え且つ開口部が上向きの円柱体である。この場合、開口部の遮蔽の便宜を図るため、第２底板１４２は第１底板１２２に対応して円形とすることができる。
【００６３】
図６Ａ及び図６Ｂを参照しながら説明する。楕円形の第１底板１２２を例にし、筒状胴部１２０は開口部を備え且つ開口部が上向きの楕円柱体である。この場合、開口部の遮蔽の便宜を図るため、第２底板１４２が第１底板１２２に対応して楕円形とすることができる。
【００６４】
若干の実施例において、筒状胴部１２０と箱蓋１４０は単層板体からなることができる。言い換えると、第１底板１２２は単層板体とすることができる。第１側壁１２４は単層板体とすることができる。第２底板１４２は単層板体とすることができる。第２側壁１４４は単層板体とすることができる。
【００６５】
好ましくは、筒状胴部１２０と箱蓋１４０は木板からなることができる。
【００６６】
図７を参照しながら説明する。若干の実施例において、ギフトボックス構造１００はフルーツ２００を盛り付けることに用いることができる。フルーツ２００を筒状胴部１２０の収納空間内に置くことができる。
【００６７】
図７及び図８を参照しながら説明する。この場合、ギフトボックス構造１００に緩衝材１８０を設けられることができる。緩衝材１８０は紐体１８２で巻き取ってからなることができる。緩衝材１８０は筒状胴部１２０の収納空間内に設置されてから盛り付けたいフルーツ２００を緩衝材１８０上に置く。
【００６８】
若干の実施例において、緩衝材１８０の中央に開口部１８４を備えることができる。
【００６９】
盛り付けたいフルーツ２００を緩衝材１８０の開口部１８４に置くことができる。フルーツ２００を開口部１８４内に略入れ込むことで、フルーツが緩衝材１８０に安定して置かれる。
【００７０】
図７、９及び図１０を参照しながら説明する。若干の実施例において、ギフトボックス構造１００に緩衝蓋体１９０を設けることができる。緩衝蓋体１９０が筒状胴部１２０の収納空間１３０内に設置され、また盛り付けたいフルーツ２００上に置く。この場合、緩衝蓋体１９０は盛り付けたフルーツ２００と上方の箱蓋１４０との衝突を防止できる。
【００７１】
若干の実施例において、緩衝蓋体１９０は単一の板紙が谷折りとなる立体構造とすることができる。
【００７２】
若干の実施例において、緩衝蓋体１９０の中央に開口部１９２を備えることができる。緩衝蓋体１９０の辺縁と開口部１９２の間に第１環形の折れ線１９４を備えることができる。緩衝蓋体１９０の辺縁に少なくとも一対の切欠き１９６、１９７を有する。各対の切欠き１９６、１９７は一対の貫通孔１２６、１２７に対応して設置される。言い換えると、切欠き１９６ａ、１９６ｂ、１９７ａ、１９７ｂは各々貫通孔１２６ａ、１２６ｂ、１２７ａ、１２７ｂに対応して設置される。且つ、切欠き１９６ａ、１９６ｂ、１９７ａ、１９７ｂの下縁は第１環形の折れ線１９４と開口部１９２の間に位置する。
【００７３】
若干の実施例において、緩衝蓋体１９０が筒状胴部１２０の収納空間１３０内に置かれた時、貫通孔１２６ａ／１２６ｂ／１２７ａ／１２７ｂにある手提げ紐１６０の末端を通過して、対応する切欠き１９６ａ／１９６ｂ／１９７ａ／１９７ｂ内に位置し、従って手提げ紐１６０の末端を介して緩衝蓋体１９０を係止することができる。
【００７４】
この場合、第１環形の折れ線１９４に沿って緩衝蓋体１９０を谷折りにすると、緩衝蓋体１９０が立体構造になることができる。
【００７５】
若干の実施例において、第１環形の折れ線１９４は山折り線である。言い換えると、緩衝蓋体１９０が筒状胴部１２０の収納空間内に置かれた時、緩衝蓋体１９０の辺縁が第１環形の折れ線１９４に相対して第１底板１２２に接近する。
【００７６】
若干の実施例において、緩衝蓋体１９０は複数本の切り込み線１９５を更に備えることができる。第１環形の折れ線１９４に沿って緩衝蓋体１９０を谷折りにするため、各切り込み線１９５は第１環形の折れ線１９４から緩衝蓋体１９０の辺縁まで繋がる。
【００７７】
若干の実施例において、緩衝蓋体１９０は切り込み線１９８を更に備えることができる。第２環形の折れ線１９８は第１環形の折れ線１９４と開口部１９２の間に位置する。
【００７８】
第１環形の折れ線１９４と第２環形の折れ線１９８は異なる谷折れ方向とする。また、各切欠き１９６ａ、１９６ｂ、１９７ａ、１９７ｂの下縁は第１環形の折れ線１９４と第２環形の折れ線１９８の間に位置する。
【００７９】
若干の実施例において、第１環形の折れ線１９４は山折れ線とすることができ、また第２環形の折れ線１９８は谷折れ線とすることができる。緩衝蓋体１９０は第１環形の折れ線１９４と第２環形の折れ線１９８に沿って谷折りされた後、図１０に示すように緩衝蓋体１９０の断面が雷マーク状の立体構造になることができる。
【００８０】
若干の実施例において、緩衝蓋体１９０は複数本の切り込み線１９９を更に備えることができる。第２環形の折れ線１９８に沿って緩衝蓋体１９０を谷折りにするため、各切り込み線１９９は開口部１９２から第２環形の折れ線１９８まで延伸する。
【００８１】
本考案に基づいてギフトボックス構造を応用すると、高級フルーツギフトボックスとすることができ、盛り付け、持ち上げ及び取り出しに便利な設計を有し、簡単で、スッキリ且つ高級感のあるラッピング構造を提供することで、内容物の品質に相応しくできる。
【符号の説明】
【００８２】
１００    ギフトボックス構造
１２０    筒状胴部
１２２    第１底板
１２４    第１側壁
１２５    一対の貫通孔
１２５ａ  貫通孔
１２５ｂ  貫通孔
１２６    第１の貫通孔対
１２６ａ  貫通孔
１２６ｂ  貫通孔
１２７    第２の貫通孔対
１２７ａ  貫通孔
１２７ｂ  貫通孔
１３０    収納空間
１４０    箱蓋
１４２    第２底板
１４４    第２側壁
１６０    手提げ紐
１６２    第１手提げ紐
１６３    結び目
１６４    第２手提げ紐
１６５    結び目
１６６    係止材
１６６ａ  嵌通部
１６６ｂ  固定片
１８０    緩衝材
１８２    紐体
１８４    開口部
１９０    緩衝蓋体
１９２    開口部
１９４    第１環形の折れ線
１９５    切り込み線
１９６    切欠き
１９６ａ  切欠き
１９６ｂ  切欠き
１９７    切欠き
１９７ａ  切欠き
１９７ｂ  切欠き
１９８    第２環形の折れ線
１９９    切り込み線
２００    フルーツ
ｏ        中心軸
ｄ１      内径
ｄ２      外径
ｈ１      深さ
ｈ２      最短距離
【図１Ａ】
0003173561.tif 000003
【図１Ｂ】
0003173561.tif 000004
【図２】
0003173561.tif 000005
【図３】
0003173561.tif 000006
【図４】
0003173561.tif 000007
【図５】
0003173561.tif 000008
【図６Ａ】
0003173561.tif 000009
【図６Ｂ】
0003173561.tif 000010
【図７】
0003173561.tif 000011
【図８】
0003173561.tif 000012
【図９】
0003173561.tif 000013
【図１０】
0003173561.tif 000014